(57)【要約】【課題】簡素かつ低コストに、電線の垂下防止を図る電線落下防止用ロープを提供する。【解決手段】複数の並行する架空電線２、２’、２”間に、電線断線時の電線の垂下を防止するために張設する電線落下防止用ロープ１において、前記ロープはＨＴＶシリコーン樹脂製のチューブ１３中に繊維状のロープ本体１２を挿入したことを特徴とする。【効果】高温加硫型（ＨＴＶ）のシリコーン樹脂で、予めチューブを形成しておき、このチューブ中にロープ本体を挿入したため、電線落下防止用ロープを製造した後に結び目を形成することができ、前記電線落下防止用ロープを短時間で得、かつ安価に製造可能であるという利点がある。【選択図】  図２
2004153917.tif 000002
【特許請求の範囲】
【請求項１】
複数の並行する架空電線間に、電線断線時の電線の垂下を防止するために張設する電線落下防止用ロープにおいて、前記ロープはＨＴＶシリコーン樹脂製のチューブ中に繊維状のロープ本体を挿入したことを特徴とする電線落下防止用ロープ。
【請求項２】
前記ロープ本体を撥水処理したことを特徴とする請求項１記載の電線落下防止用ロープ。
【請求項３】
前記チューブの両端部にＲＴＶシリコーンを充填したことを特徴とする請求項１または２記載の電線落下防止用ロープ。
【請求項４】
前記ロープ本体に、ポリアミド繊維あるいはポリエステル繊維を使用してなることを特徴とする請求項１から３のいずれか１項記載の電線落下防止用ロープ。
【請求項５】
前記チューブを難燃性としたことを特徴とする請求項１から４記載のいずれか１項記載の電線落下防止用ロープ。
【発明の詳細な説明】
【０００１】
【発明の属する技術分野】
本発明は、電線落下防止用ロープ、さらに詳細には二相又は三相からなる架空配電線路の電線間を所定間隔に維持して相間を繋ぎ、電気的には確実な絶縁をし、機械的には分離しないようにした架空電線の電線間支持構造に使用する電線落下防止用ロープに関する。
【０００２】
【従来の技術】
これまで、雷害等による電線の断線、不慮の事故や劣化による電線の断線が発生した時、充電されたまま電線が地上に落下し、感電事故等の人災の懸念があった。そのため、従来は、電線の破断部が地上まで垂下到達しないように、架空電線の適当な位置に電線間（相間）を結ぶ磁器製の高圧棒状スペーサを取り付け、万一断線しても電線破断部が人の触れる高さにまで垂下しないようにしていた。そして、従来の三相（Ｒ，Ｓ，Ｔ相）の架空電線への磁器製高圧棒状スペーサの取り付けは、ＲＳ相間、ＳＴ相間へそれぞれスペーサを取り付ける（合計２個必要）ことにより行われていた。
【０００３】
【特許文献１】
特開２００１−１８６６４６号
【０００４】
【発明が解決しようとする課題】
ところが、面的に広範な配電線路で、このように高圧棒状スペーサを多量に取り付けることは、多額のコストが掛かる。また、現用の高圧棒状スペーサは磁器材料を使用しているために、重量が嵩み、電線への負荷が大きい。しかも、この磁器製の高圧棒状スペーサは、その材質が衝撃に弱いため、落下した場合にはその落下衝撃で割れやすいし、ある程度の重量があり材質も比較的堅いため、架空設置作業で万一落下させてしまったような場合には、電線の下を歩いている人などに怪我を負わせる危険があった。
【０００５】
上述の課題を解決するため、複数の並行する架空電線間に、電気絶縁性を持つロープを隣接する電線間に所定間隔を維持して張設し、かつこの張設したロープ間の電線長さ方向の距離を、少なくとも架空電線から地上までの距離よりも短い距離とし、電線断線時の電線の垂下を前記張設したロープにより防止したことを特徴とした架空電線の電線支持構造が知られている（特開２００１−１８６６４６号）。
【０００６】
このような電線支持構造に使用されるロープは、例えばポリアミド繊維よりなる両端などに架空電線に固定するための結び目を形成した後、ロープ本体にシリコーン樹脂などを単体を含浸させるあるいは低温加硫のシリコーン樹脂（ＬＴＶ）単体の貯留槽に浸漬して前記単体を含浸させ、前記結び目を形成させ、その後再び単体を含浸させるなどの方法により、ロープ本体にシリコーン樹脂の被膜を形成していた（特開２００１−１８６６４６号参照）。
【０００７】
しかしながら、前記シリコーン樹脂をロープ本体に含浸せしめた後、硬化させるものであるために、ロープ本体の熱ダメージを考慮して、いずれも低温加硫のシリコーン樹脂を用いなければならないという欠点がある。このため、製造時間が長くなり、また結び目を形成した後含浸させたり、結び目を形成した後に、さらにシリコーン樹脂を再度含浸させるため、工程が多くなり、コスト高であるという欠点があった。
【０００８】
本発明は、このような点に鑑み創案されたもので、簡素かつ低コストに、電線の垂下防止を図る電線落下防止用ロープを提供することを目的とする。
【０００９】
【課題を解決するための手段】
上記の課題を解決するため、本発明による電線落下防止用ロープは、複数の並行する架空電線間に、電線断線時の電線の垂下を防止するために張設する電線落下防止用ロープにおいて、前記ロープはＨＴＶシリコーン樹脂製のチューブ中に繊維状のロープ本体を挿入したことを特徴とする。
【００１０】
本発明によれば、高温加硫型（ＨＴＶ）のシリコーン樹脂で、予めチューブを形成しておき、このチューブ中にロープ本体を挿入したため、電線落下防止用ロープを製造した後に結び目を形成することができ、前記電線落下防止用ロープを短時間で得、かつ安価に製造可能であるという利点がある。
【００１１】
そして、本発明による電線落下防止用ロープは、ロープとしての可撓性を維持し、耐トラッキング性に優れたシリコーン樹脂を被覆してなる絶縁ロープである。この絶縁ロープは、従来の磁器製の棒状スペーサに比べて１０分の１程度と極めて軽量で、かつ柔らかい材質であるため、電線への荷重負荷は大幅に軽減される。また、軽量且つ柔らかなロープであるために、架空設置作業中に誤って高所から落下させてしまった場合でも、落下衝撃で破損することはなく、下を歩いている人に当たっても怪我を負わせる心配はない。
【００１２】
また、本発明は、前記電気絶縁性を持つロープの各電線対応位置に結び目輪を形成し、この結び目輪を各電線に巻き付けた巻付けグリップに係止することによって、前記複数の並行する架空電線間に前記ロープを電気絶縁性を維持して張設したことを特徴としている。このロープは、可撓性に富み且つ軽量であるため、各電線対応位置に結び目輪を簡単に作ることができ、しかもその結び目輪を従来の巻付けグリップを用いて取り付けることによって電線間に簡単に張設できるので、電線間の支持作業が容易である。
【００１３】
【発明の実施の形態】
以下、本発明の好ましい実施の形態を図面に基づいて説明する。図１は電線落下防止用ロープを用いて電線間を支持した状態の一形態例を示す平面説明図、図２は、本発明の電線落下防止用ロープの断面図、である。
【００１４】
図１は、本発明による電線落下防止用ロープ１を用いて、三相（Ｒ，Ｓ，Ｔ相）の電線間に張設し、これを支持した一形態例を上から見て示した図である。この図にも示すように、鉄塔Ｔ、Ｔ間に並行して架設された三相（Ｒ，Ｓ，Ｔ相）の送電線２、２’、２”は、電線長さ方向に所定間隔を保って架設されている。そして、電線落下防止用ロープ１に形成した結び目輪１１、１１’、１１”を、それぞれＲ相の電線２、Ｓ相の電線２’、Ｔ相の電線２”に絡めた従前の巻き付けグリップ３にて取り付け、これら電線２、２’、２”間に電線落下防止用ロープ１を張設している。この場合、張設した電線落下防止用ロープ１間の電線長さ方向の距離Ｌ（図１参照）を、少なくとも架空電線２、２’、２”から地上までの距離よりも短い距離として、例えば、電線２が断線して垂下しても、他の電線２’、２”に結びつけられている電線落下防止用ロープ１により支持して、その垂下電線２の破断部が、地上にいる人の届く位置にまで到達しないようにしている。
【００１５】
このように使用される電線落下防止用ロープ１は、ロープ本体１２に、可撓性を維持し、耐トラッキング性に優れたＨＴＶシリコーン樹脂製のチューブ１３を被せたものである。そして、この実施例においては、前記チューブ１３の両端内部にＲＴＶシリコーン樹脂１４を注入し、硬化させて、ロープ本体１２がチュー部内を移動しないようにし、また、ロープ本体１２に水分が浸透して絶縁性が損なわれないようにしている。
【００１６】
このロープ本体１２としては、ポリアミド繊維、ポリエステル繊維を使用するとよい。細径にも関わらず、従来の磁器製棒状スペーサと遜色のない強靱な引張保持力を持たせることができるからである。特に、ポリアミド繊維等の低コストの汎用品をロープ本体として使用すると、飛躍的な低コスト化が図れる。さらにポリエステル繊維のロープ本体は、安価であるばかりでなく、大きな強度を有し、水分含量が少なく、絶縁性が良好であるので、本発明による電線落下防止用ロープとして最適である。
【００１７】
また、前記ロープ本体１２に水分が浸透しにくいように、撥水処理を施してもよい。この撥水処理としては、アミノ変性シリコーン又はシリコーンワニスあるいはフッ素系ポリマーを前記ロープ本体１２に浸透せしめるのがよい。
【００１８】
このロープ本体１２を覆うチューブ１３には、難燃性を向上させるために水和アルミナ、水酸化マグネシウム等の結晶水を含んだ無機物を充填してもよい。このロープ本体１２の芯内部には、電気絶縁性の無機モノマあるいは有機モノマを含浸させたものを用いることができる。
【００１９】
前記ロープ本体１２を前記チューブに挿入するにあたっては、前記ロープ本体を充分に乾燥させて、脱水した後に挿入するのがよい。絶縁性が向上するからである。
【００２０】
【発明の効果】
以上説明したように、本発明によれば、高温加硫型（ＨＴＶ）のシリコーン樹脂で、予めチューブを形成しておき、このチューブ中にロープ本体を挿入したため、電線落下防止用ロープを製造した後に結び目を形成することができ、前記電線落下防止用ロープを短時間で得、かつ安価に製造可能であるという利点がある。
【図面の簡単な説明】
【図１】本発明の絶縁ロープを用いて電線間を支持した状態の一形態例を示す平面説明図である。
【図２】本発明の電線間の支持に用いる絶縁ロープの断面図である。
【符号の説明】
１      電線落下防止用ロープ
１２      ロープ本体
１３      チューブ
１４      ＲＴＶシリコーン樹脂
２      Ｒ相の電線
２’    Ｓ相の電線
２”    Ｔ相の電線
３      巻き付けグリップ
Ｔ      鉄塔
【図１】
2004153917.tif 000003
【図２】
2004153917.tif 000004